(57)【要約】【課題】施工の際にコンクリート型枠及び熟練技術者が不要であって、施工も容易であり、工期短縮も図ることができる床構造施工技術を提供する。【解決手段】床構造１００は、複数のコンクリートブロック１０を組積して起立状に形成された壁体２０と、外周縁３１が壁体２０の上縁部２１の一部（壁体２０の内側寄りの部分）を覆うように載置されたデッキプレート３０と、デッキプレート３０を壁体２０に係止する係止手段であるビス４０及び受け具４１と、壁体２０の上縁部２１に組積された型枠ブロック５０と、デッキプレート３０の上面及び壁体２０の上縁部２１を覆うように打設されたコンクリート層６０と、を備えている。【選択図】図４
2017031669.tif 000002
【特許請求の範囲】
【請求項１】
複数のコンクリートブロックを組積して起立状の壁体を形成する工程と、デッキプレートの外周縁が前記壁体の上縁部の一部を覆うように当該デッキプレートを載置する工程と、前記デッキプレートを前記壁体に係止する工程と、前記壁体の上縁部に型枠ブロックを組積する工程と、前記デッキプレートの上面を覆うようにコンクリートを打設してコンクリート層を形成する工程と、を備えた床構造施工法。
【請求項２】
複数のコンクリートブロックを組積して起立状に形成された壁体と、外周縁が前記壁体の上縁部の一部を覆うように載置されたデッキプレートと、前記デッキプレートを前記壁体に係止する係止手段と、前記壁体の上縁部に組積された型枠ブロックと、前記デッキプレートの上面及び前記壁体の上縁部を覆うように打設されたコンクリート層と、を備えた床構造。
【発明の詳細な説明】
【技術分野】
【０００１】
本発明は、コンクリートブロック建築物の床部分を施工する技術に関する。
【背景技術】
【０００２】
コンクリートブロック建築物の床部分を施工する技術については、従来、様々な方式が提案されているが、本発明に関連するものとして、例えば、特許文献１に記載された「型枠コンクリートブロックを使用した建築構造物に対する床面や梁材等の造成工法」などがある。
【０００３】
特許文献１に記載されている造成工法は、型枠コンクリートブロックの片側壁板上面に対し、鋼板製デッキプレートの端縁側を２ｃｍ程度重ね合わせ状態に載置し、この端縁上の適所を型枠コンクリートブロックの片側壁板裏面側より逆Ｌ字状の止め金具を使用して止着し、型枠コンクリートブロックの反対側壁板に向かってゼットセパ金具の複数箇を取付けたものとなし、また、型枠コンクリートブロックの反対側壁板面にはコンクリートパネルを当接するとともに、このコンクリートパネルをゼットセパ金具で立設状態に止着させることによりデッキプレート上に一定深さの箱状空間を形成し、且つ、箱状空間内の凡そ１０ｃｍ〜３０ｃｍの深さ範囲に鉄筋枠を組込んだ後、コンクリート打ちを行う、というものである。
【先行技術文献】
【特許文献】
【０００４】
【特許文献１】特開２００４−１２４４８５号公報
【発明の概要】
【発明が解決しようとする課題】
【０００５】
特許文献１に記載された造成工法は、建築構造物の床面や梁部材などを迅速、簡便に施工することができるという長所を備えているが、使用する資材点数が多く、施工の際には熟練技術者が必要である。
【０００６】
そこで、本発明が解決しようとする課題は、施工の際にコンクリート型枠及び熟練技術者が不要であって、施工も容易であり、工期短縮も図ることができる床構造施工技術を提供することにある。
【課題を解決するための手段】
【０００７】
本発明の床構造施工法は、複数のコンクリートブロックを組積して起立状の壁体を形成する工程と、デッキプレートの外周縁が前記壁体の上縁部の一部を覆うように当該デッキプレートを載置する工程と、前記デッキプレートを前記壁体に係止する工程と、前記壁体の上縁部に型枠ブロックを組積する工程と、前記デッキプレートの上面を覆うようにコンクリートを打設してコンクリート層を形成する工程と、を備えたことを特徴とする。
【０００８】
また、本発明の床構造は、複数のコンクリートブロックを組積して起立状に形成された壁体と、外周縁が前記壁体の上縁部の一部を覆うように載置されたデッキプレートと、前記デッキプレートを前記壁体に係止する係止手段と、前記壁体の上縁部に組積された型枠ブロックと、前記デッキプレートの上面及び前記壁体の上縁部を覆うように打設されたコンクリート層と、を備えたことを特徴とする。
【発明の効果】
【０００９】
本発明により、施工の際にコンクリート型枠及び熟練技術者が不要であって、施工も容易であり、工期短縮も図ることができる床構造施工技術を提供することができる。
【図面の簡単な説明】
【００１０】
【図１】本発明の第１実施形態である床構造施工法の工程を示す一部省略斜視図である。
【図２】図１に示す工程の後工程を示す一部省略斜視図である。
【図３】図２に示す工程の後工程を示すため、図２中のＡ−Ａ線において切断した一部省略断面図である。
【図４】図３に示す工程の後工程を示す一部省略断面図である。
【図５】図４中のＢ−Ｂ線における一部省略断面図である。
【図６】本発明の第２実施形態である床構造施工法の工程を示す一部省略斜視図である。
【図７】図６に示す工程の後工程を示すため、図６中のＣ−Ｃ線において切断した一部省略断面図である。
【図８】図７に示す工程の後工程を示す一部省略断面図である。
【発明を実施するための形態】
【００１１】
図１〜図５に基づいて本発明の第１実施形態である床構造施工法及び床構造１００について説明する。本実施形態の床構造施工法においては、図１に示すように、複数のコンクリートブロック１０を組積することにより垂直に起立した状態の壁体２０を形成し、デッキプレート３０の外周縁３１，３２がそれぞれ壁体２０，２５の上縁部２１，２６の一部（壁体２０，２５の内側面寄りの部分）を覆うようにデッキプレート３０を載置する。デッキプレート３０は、山部３０ａと溝部３０ｂとが交互に形成された部材であるが、これに限定しないので、平板状のデッキプレートを使用することもできる。
【００１２】
デッキプレート３０の山部３０ａ及び溝部３０ｂの長さ方向と交差する方向の外周縁３１が壁体２０の上縁部２１に載置される。デッキプレート３０の山部３０ａ及び溝部３０ｂの長さ方向と平行な方向の外周縁３２は壁体２５の上縁部２６に載置される。
【００１３】
この後、図２に示すように、デッキプレート３０の外周縁３１を、係止手段である複数のビス４０を用いて壁体２０に係止する。このとき、必要に応じて、図３に示すように、デッキプレート３０の下面と壁体２０の内側面との間に断面Ｌ字状の受け具４１をビス４０で取り付け、両者を固定することもできる。また、図５に示すように、デッキプレート３０の外周縁３２の下面と壁体２５の内側面との間に断面Ｌ字状の受け具４２をビス４０で取り付けることにより、両者を固定する。
【００１４】
次に、図３に示すように、壁体２０の上縁部２１に型枠ブロック５０を組積する。型枠ブロック５０は、コンクリートブロック１０の外側部１１と同じ幅・高さを有する平板状の外側部５１と、外側部５１より幅が小さい平板状の内側部５２と、外側部５１と内側部５２とを平行状態で連結する一対の連結部５３と、を備えている。
【００１５】
図３に示すように、コンクリートブロック１０の外側部１１と型枠ブロック５０の外側部５１とが同一平面をなすように組積すると、型枠ブロック５０の内側部５２は、外側部５１より幅が小さいので、内側部５２の両側には矢線Ｘ方向にコンクリートが流動可能な空間が形成される。
【００１６】
この後、図４に示すように、デッキプレート３０上にコンクリートを打設すると、その一部が図３中に示す矢線Ｘの方向に沿ってブロック１０及び型枠ブロック５０の内部に充填されるとともに、デッキプレート３０の上面を覆うコンクリート層６０が形成され、床構造１００が完成する。なお、図５に示すように、デッキプレート３０の山部３０ａ及び溝部３０ｂの長さ方向と平行な外周縁３２が載置された壁体２５の上縁部２６には、コンクリートブロック１０の外側面と同一平面をなす副壁体２７が形成されているので、デッキプレート３０の上面に打設されたコンクリートが壁体２５の外へ流下することはない。
【００１７】
このように、本実施形態の床構造施工法においては、複数のコンクリートブロック１０を組積して起立状の壁体２０，２５を形成し、デッキプレート３０の外周縁３１，３２がそれぞれ壁体２０，２５の上縁部２１，２６の一部を覆うようにデッキプレート３０を載置し、デッキプレート３０を壁体２０，２５に係止した後、壁体２０の上縁部２１に型枠ブロック５０を組積して、デッキプレート３０の上面を覆うようにコンクリートを打設してコンクリート層６０を形成することにより、コンクリート型枠を使用することなく、床構造１００を構築することができる。
【００１８】
このように、本実施形態の床構造施工法は、施工の際に熟練技術者が不要であって、施工も容易である。また、コンクリート型枠をセットする作業及びコンクリート固化後にコンクリート型枠を撤収する作業などが不要となるため、工期短縮も図ることができる。
【００１９】
次に、図６〜図８に基づいて、本発明の第２実施形態である床構造施工法及び床構造２００について説明する。なお、図６〜図８中において図１〜図５中の符号と同じ符号を付している部分は互いに共通する部材であるため、説明を省略する。
【００２０】
図６に示すように、本実施形態の床構造施工法においては、複数のコンクリートブロック１０を組積することにより垂直に起立した状態の壁体２０を形成し、デッキプレート３５の外周縁３６が壁体２０の上縁部２１の一部（壁体２０の内側面寄りの部分）を覆うようにデッキプレート３５を載置し、ビス４０を用いて壁体２０に固定する。
【００２１】
デッキプレート３５は、山部３５ａと溝部３５ｂとが交互に形成された部材であり、山部３５ａ及び溝部３５ｂと交差する方向の外周縁３６が壁体２０の上縁部２１に載置されている。デッキプレート３５の山部３５ａの外周縁３６寄りの部分は、外周縁３６に向かって連続する下り勾配をなす傾斜部３７によって閉塞され、所謂、エンドクローズ形状をなしている。
【００２２】
次に、図７に示すように、壁体２０の上縁部２１に型枠ブロック５５を組積する。型枠ブロック５５は、ブロック１０の外側部１１と同じ幅・高さを有する平板状の外側部５６と、外側部５１より幅の小さな平板状の内側部５７と、外側部５６と内側部５７とを平行状態で連結する一対の連結部５８と、を備えている。
【００２３】
図７に示すように、ブロック１０の外側部１１と型枠ブロック５５の外側部５６とが同一平面をなすように組積すると、型枠ブロック５５の内側部５７は、外側部５６より幅が小さいので、内側部５７の両側には矢線Ｙ方向にコンクリートが流動可能な空間が形成される。
【００２４】
この後、図８に示すように、デッキプレート３５上にコンクリートを打設すると、その一部が図７中に示す矢線Ｙの方向に沿ってブロック１０及び型枠ブロック５５の内部に充填されるとともに、デッキプレート３５の上面を覆うコンクリート層６１が形成され、床構造２００が完成する。
【００２５】
本実施形態の床構造施工法においても、コンクリート型枠を使用することなく、床構造２００を構築することができる。従って、施工の際に熟練技術者が不要であって、施工も容易である。また、コンクリート型枠をセットする作業及びコンクリート固化後にコンクリート型枠を撤収する作業などが不要となるため、工期短縮も図ることができる。
【００２６】
なお、図１〜図８に基づいて説明した床構造施工法及び床構造１００，２００は、本発明を例示するものであり、本発明の床構造施工法及び床構造は、前述した床構造施工法及び床構造１００，２００に限定されない。
【産業上の利用可能性】
【００２７】
本発明の床構造施工技術は、コンクリートブロックを使用した各種建築物の施工技術として建築業、建設業の分野において、広く利用することができる。
【符号の説明】
【００２８】
１０  コンクリートブロック
１１，５１  外側部
２０，２５  壁体
２１，２６  上縁部
２７  副壁体
３０，３５  デッキプレート
３０ａ，３５ａ  山部
３０ｂ，３５ｂ  溝部
３１，３２，３６  外周縁
４０  ビス
４１  受け具
５０，５５  型枠ブロック
５１，５６  外側部
５２，５７  内側部
５３，５８  連結部
６０，６１  コンクリート層
１００，２００  床構造
【図１】
2017031669.tif 000003
【図２】
2017031669.tif 000004
【図３】
2017031669.tif 000005
【図４】
2017031669.tif 000006
【図５】
2017031669.tif 000007
【図６】
2017031669.tif 000008
【図７】
2017031669.tif 000009
【図８】
2017031669.tif 000010